(57)【特許請求の範囲】
【請求項１】
弾力性と形状復元性とを有する中空体に設けた笛用開口部の内側に笛用筒部の一端部が取り付けられており、前記笛用筒部の中に設けた前後の壁面に通気孔のある筒部の中を、往復動体が往復動し得るよう取り付けられ、この往復動体の中に笛部が前記笛用開口部を流通する空気流によって奏鳴すると共に前記往復動体の往復動によって前記筒部内で反響するように設けられており、前記中空体に設けた水鉄砲用開口部の内側に水鉄砲用筒部の一端部が取り付けられ、前記水鉄砲用筒部の他端部は前記笛用筒部の他端部よりも下方に位置するように設けられている、水鉄砲兼用の笛玩具。
【請求項２】
前記往復動体の前側に前記笛用開口部から出入り可能な舌状体を有する、請求項１に記載の水鉄砲兼用の笛玩具。
【請求項３】
前記筒部の、前記往復動体が往復動する方向の前記往復動体に対面する部位に、前記空気流を妨げないようにしてクッションが設けられている、請求項１に記載の水鉄砲兼用の笛玩具。
【請求項４】
前記筒部の、前記往復動体が往復動する方向の前記往復動体に対面する部位に、前記往復動体が接触した時に前記空気流を妨げて音を弱めるための消音壁が設けられている、請求項１に記載の水鉄砲兼用の笛玩具。
【請求項５】
前記往復動体が前記笛用筒部の中に弾性体を介して納められている、請求項１に記載の水鉄砲兼用の笛玩具。
【発明の詳細な説明】
【技術分野】
【０００１】  この発明は、ボールなどの中空体に笛と水鉄砲とが設けられており、中空体で遊ぶと笛が鳴ったり水を吹き出すように構成した水鉄砲兼用の笛玩具に関する。
【背景技術】
【０００２】  笛の種類は各種あるが、シリンダー様の容器内にピストン様の筒状の笛が往復動可能に設けられており、笛が往復動することで筒状の笛内を通過する空気流によって奏鳴すると言うものがある。筒状の笛の往復動のために、筒状の笛に錘を設けた牛笛や、筒状の笛と容器との間にコイル状のバネを取り付けたいわゆるゲコゲコ笛なるものもある。【０００３】  このような鳴き笛をボールに設けた玩具に、実開平０６−０３４６６０号の「音出し投的用玩具」と、実開平０５−０００１９４号の「擬音発生装置及び玩具」がある。実開平０６−０３４６６０号は、ぬいぐるみに納めた球体６の中心に鳴き笛（鳴動体２）を内包させたものであるが、特に球体６の中心にある鳴動体２が常時重力下方向に復元するウェイトを有しており、その復元するウェイトの変移により鳴動体の内部の空気が流出して、笛体が鳴るようにしたものである。また実開平０５−０００１９４号も同様に、球体中心部に回動自在に設けた枠体１５に擬音発生部材２０が回動自在に取り付けられて、この擬音発生部材２０の錘２５が常時重力下方向に復元するように構成したものである。【０００４】  このような笛玩具に対して、当発明者は、投げる時のみならず遊んでいる内はいつでも鳴きを行うと言うような、これまでにない新しい笛玩具を提供した。すなわち特許第５８６６６６５号の「笛玩具」と特許第６４０９１８６号の「笛玩具」とである。更に音色にも新機軸を盛り込むことが出来た。
【先行技術文献】
【特許文献】
【０００５】
【特許文献１】特許第５８６６６６５号公報
【特許文献２】特許第６４０９１８６号公報
【特許文献３】実開平０６−０３４６６０号公報
【特許文献４】実開平０５−０００１９４号公報
【発明の概要】
【発明が解決しようとする課題】
【０００６】  確かに特許第５８６６６６５号の「笛玩具」と特許第６４０９１８６号の「笛玩具」とは、これまでにない音色を出して遊ぶことを可能にする斬新で有用な発明であった。特に特許第５８６６６６５号の「笛玩具」に続く特許第６４０９１８６号の「笛玩具」では、音を出す際に長尺の舌を出し入れすると言う興趣ある発明となっていた。当発明者はこれ等を更に発展させて風呂用の玩具、水周り用の玩具に利用出来ないかと考えた。すなわち空気を吹く笛玩具を水を吹く水鉄砲にしたいと考えた。【０００７】  しかしながら笛が空気流で動作するのに対して、水鉄砲は水流を作り出すものであると言うように、両者には大きな違いがある。すなわちこれ等を水や湯に入れると、水や湯に邪魔されて笛が鳴らないと言う問題が生じたのである。【０００８】  そこでこの発明は、上述したような二律背反の問題を解決して、笛として遊び、水鉄砲として遊ぶことが出来るような、または笛と水鉄砲とを同時に楽しむことが出来るような玩具を提供することを課題とする。
【課題を解決するための手段】
【０００９】  上記課題は、中空体に設けた笛用開口部の内側に笛用筒部の一端部が取り付けられており、前記笛用筒部の他端部は前記中空体内を上方へ向かうように設けられていると共に、前記笛用筒部内の何れかの箇所に笛部が前記開口部を流通する空気流により奏鳴するように設けられており、中空体に設けた水鉄砲用開口部の内側に水鉄砲用筒部の一端部が取り付けられており、前記水鉄砲用筒部の他端部は前記中空体内を下方へ向かうように設けられている、水鉄砲兼用の笛玩具とすることにより達成される。中空体を手で潰すようにすることで、笛或いは水鉄砲としての動作を起こさせることが出来る。【００１０】  笛用開口部から、水鉄砲用開口部から、或いは専用の注水口があるものでは該注水口から、中空体の内部に水を取り込むことが出来る。中空体が満水であると、この水鉄砲兼用の笛玩具は水鉄砲としてのみ遊ぶことが可能である。また水が笛用筒部の他端部より下方にある時には、笛玩具と同時に水鉄砲として遊ぶことが出来る。更に中空体の内部に水鉄砲に使える水がなくなると、或いは水を含まないで使用する場合では、この水鉄砲兼用の笛玩具は笛玩具としてのみ遊ぶことが可能である。【００１１】  中空体の空気は笛用筒部の他端部から、笛用筒部を通って、一端部が取り付けられている笛用開口部から中空体の外に押し出される。この時の空気流通により笛用筒部内の笛部が奏鳴する。或いは中空体の水は水鉄砲用筒部の他端部から、水鉄砲用筒部を通り、一端部が取り付けられている水鉄砲用開口部から中空体の外に放出される。このようにして、笛玩具としても水鉄砲としても用いることが出来るのである。【００１２】  なお中空体は一般的にはボールであり、吸気や笛奏鳴のために、吸水や放水のために、弾性を備えていることが望ましいが、外形は球体に拘るものではなく動物などの具象体であっても良く、また布製などのぬいぐるみを被った構成としても良い。また中空体の好ましくは目立たない部位に、水を抜いて早く乾かしたり内部の掃除をしたりするための口と栓とを設けるようにすると便利である。【００１３】  次に、更に往復動体が、前記笛用筒部の中に往復動し得るように且つ笛部が奏鳴した時に前記筒部内で反響し得るように、取り付けられているものとすることが出来る。これは上記した特許第５８６６６６５号の「笛玩具」や特許第６４０９１８６号の「笛玩具」に関係している。この構成によって、笛用筒部内を笛部が移動すると筒部内の反響スペースが大きくなったり小さくなったりするために、変化のある鳴き声のような奏鳴が生ずる。すなわち筒部内の反響スペースが、往復動体の往復動に従って増減するが、往復動体には笛部が設けてありこの笛部から発生する音が上記反響スペースを通ることになる。【００１４】  なお往復動体が笛部を有する場合などでは、筒部の中に弾性体を介して納めるようにしても良い。この弾性体に付いてはコイルバネが好適である。【００１５】  次に、更に前記往復動体とは別の、舌状体を有する往復動体である往復舌が舌用筒部の中に納められており、この舌用筒部が、中空体に設けた舌用開口部の内側に、この舌用開口部を流通する空気流または水流によって往復動し得るように取り付けられているものとす���ことが出来る。また往復舌が長尺物であるものとしても良い。【００１６】  この発明では舌状体を往復動体に設けるのではなく、笛用筒部とは別に舌用筒部を設けて、この舌用筒部の中に、舌状体を有する往復動体である所の往復舌を納めるようにしたのである。従って開口部に発生する空気流通で、笛部を有する往復動体と往復舌とが別々の上記筒部（笛用筒部、舌用筒部）の中で往復動することになる。上掲の特許第６４０９１８６号の「笛玩具」を参照されたい。【００１７】  次に、上述した往復動体が前記笛用筒部の中に往復動し得るように且つ笛部が奏鳴した時に前記筒部内で反響し得るように取り付けられているものに付いて、前記筒部の、前記往復動体が往復動する方向の前記往復動体に対面する部位に、前記空気流を妨げないようにしてクッションが設けられているものとしても良い。これによれば、往復動体が激しく往復動するような場合であっても往復動体がクッションに当たってその衝撃が緩和されるのである。【００１８】  次に、上述した往復動体が前記笛用筒部の中に往復動し得るように且つ笛部が奏鳴した時に前記筒部内で反響し得るように取り付けられているものに付いて、前記筒部の前記往復動体が往復動する方向の前記往復動体に対面する部位に、前記往復動体が接触した時に前記空気流を妨げて音を弱めるための消音壁が設けられているものとしても良い。例えば風呂場のような反響が籠ったり増幅されたりするような場所では、標準的な笛を用いるような場合に、笛部の音量を下げたいとする向きもある。消音壁はこの目的のために好適な構成である。なお消音壁によって空気流が妨げられることにより、笛部に流れる空気の量が少なくなり、逆に水鉄砲の側で水圧が上がると言う作用が見られるのも、この消音壁ならではである。【００１９】  次に、上述した往復動体とは別の、舌状体を有する往復舌が舌用筒部の中に納められてものに付いて、前記往復舌が前記舌用筒部の中に弾性体を介して納められているものとしても良い。弾性体にはコイルバネが好適である。【００２０】  さて、上述した何れの水鉄砲兼用の笛玩具であっても、笛用筒部が柔軟で上方へ向かう浮子を、または笛用筒部が柔軟で下方へ向かう重錘を備えているものとしても良い。笛用筒部に浮子を設けるのは、空気孔である所の他端部を出来るだけ水面上に在るようにするための構成である。また水鉄砲用筒部に重錘を備えるのは、吸水口のある他端部を出来るだけ水中に没するようにするための構成である。【００２１】  また、上述した何れの水鉄砲兼用の笛玩具であっても、前記中空体が人形であるものとしても良い。特に動物人形などは誰にとっても人気の意匠であり、遊んでいて楽しく感じられるものである。
【発明の効果】
【００２２】  この発明の水鉄砲兼用の笛玩具が一つあれば、笛として遊び、水鉄砲として遊ぶことが出来る。または笛と水鉄砲とを同時に楽しむことが出来る。このようにこの発明は、これまでにない新しい玩具を提供することに成功している。
【図面の簡単な説明】
【００２３】
【図１】  実施例１の説明図である。
【図２】  ボール１と笛用筒部２との取り付け構造の説明図である。
【図３】  実施例２の笛部２０１付近の説明図である。
【図４】  実施例３の笛部２１０付近の説明図である。
【図５】  実施例４の説明図である。
【図６】  往復動体７付近を分解して表した説明図である。
【図７】  実施例５の説明図である。
【発明を実施するための形態】
【実施例１】
【００２４】  図１および図２を用いて実施例１の水鉄砲兼用の笛玩具を説明する。弾力性と形状復元性とを有する合成樹脂製のボール１には、笛用開口部１０と水鉄砲用開口部１１とが上下２段に設けられている。ボール１の内側の上記笛用開口部１０には笛用筒部２の一端部が接続されている。この端部は笛口２０となる。また笛用筒部２はボール１の内部で後方から上方へ向かうように曲げられており、他端部は吸気口２１となると共に、内部には固定円筒２２が固定されている。この固定円筒２２に笛部２４が設けられており、吸気口２１から入った気流でこの笛部２４を鳴らすようになっている。【００２５】  一方、ボール１の内側の上記水鉄砲用開口部１１には、水鉄砲用筒部３の一端部が接続されている。この端部は放水口３０となる。また水鉄砲用筒部３はボール１の内部で後方から下方へ向かうように曲げられており、他端部は吸水口３１となる。なおこの水鉄砲用筒部３も上記笛用筒部２も円筒形状であるが、円筒ではなく方形などの形状を採用することが可能である。【００２６】  ボール１を握っておいて、水中で握る手を休めると、ボール１は弾力性と形状復元性とによって元の形状に戻ろうとするが、この際に笛用開口部１０や水鉄砲用開口部１１から水Ｗを吸い込む。この状態でボール１を水から出したものが図１であり、図中波状の破線は水面を表す。従ってここからボール１を手で握ると、水面より上の空気Ａが圧縮されて吸気口２１に流れ、笛部２４の笛を鳴らして笛用開口部１０から笛の音を発する。一方、水面より下の水Ｗも圧縮されて吸水口３１を入り、水鉄砲用開口部１１からボール１外に勢いよく放水となる。【００２７】  固定円筒２２は笛用筒部２の吸気口２１の内部に固定されているが、図２で表すように更に内部に支持体２３を有し、支持体２３は、その円筒壁面で笛部２４を固定するためのものである。この笛部２４にはリード２５が、笛部２４の中心部にその長手方向に向けて片持ち状態で振動するように取り付けられている。すなわちリード２５の他側は自由端であってここが振動して音を発するのである。
【実施例２】
【００２８】  上述の実施例１では、笛部２４は固定円筒２２の内部に固定されていた。これに対して実施例２では、通気孔２７，２８を流れる空気流によって往復動体２９が円筒２６の中を往復動することにより、笛部２０１そのものが円筒２６の中を往復動するように構成されている。笛玩具が手に持たれた時の振動や笛用筒部２を流れる空気流によって笛部２０１が円筒２６の中を往復動すると、円筒２６の内部空間に於ける笛部２０１の位置の変化に連れて、円筒２６内の反響スペースが大きくなったり小さくなったりするため、ゲコゲコ笛の鳴き声のような奏鳴が生ずる。すなわち円筒２６内の反響スペースの大小が、その時に鳴る笛の音色に変化を与える原因となるのであり、この発明では上掲の特許第５８６６６６５号の「笛玩具」や特許第６４０９１８６号の「笛玩具」と同様、この原理を応用しているのである。【００２９】  ただし笛部２０１が往復動する際に、笛部２０１を支持する円筒形状の往復動体２９が円筒２６の天部や底部に当たる場合があって、円筒２６や往復動体２９の素材いかんではカチカチと言うような両者が打ち合う音が発生する。仮にこれを嫌うのであれば、例えば往復動体２９の素材にゴムなどの弾力素材を使うと言う設計が可能である。しかしながら実施例２では、次のようにしてこの問題を回避している。【００３０】  すなわち図３で表すように、円筒２６は天部と底部とを有する円筒形状を呈しており、両端に通気孔２７，２８が開口され、円筒２６の内部には、リード２０２によって奏鳴する笛部２０１が固定された円筒形状の支持体２００を有する往復動体２９が、円筒２６内を往復動自在に設けられている。そして円筒２６の天部（通気孔２８を有する側）および底部の内側には、中心部が開口されたゴム製のクッション２０３が固定されている。従って往復動体２９が空気流や水流で激しく往復動する場合であっても、クッション２０３に当たってその衝撃が緩和されるのである。
【実施例３】
【００３１】  図４で表すように、円筒２１２は天部と底部とを有する円筒形状を呈しており、両端に通気孔２０４，２０５が開口され、円筒２１２の内部には往復動体２０６がその底部側に設けたコイルバネ２０７によって円筒２１２内を往復動自在に設けられている。この構成によっても円筒２１２内の反響スペースの大小を実現することが出来る。なお片持ち状体のリード２１１により奏鳴する笛部２１０は円筒形状の支持体２０９によって支持されており、この支持体２０９が円筒２１２の底部側の通気孔２０４の外側に固定されている。なおコイルバネ２０７の強さや形状や材質などの異なるものにすることで、笛部２１０の往復運動に変化を加えることが可能である。この変化は笛部２１０内に生ずる空気流通や円筒２１２内の反響スペースに於ける反響の変化でもある。【００３２】  このような構成の往復動体２０６の天部側に消音壁２０８が取り付けられており、図４の左方向に往復動体２０６が移動した時に、消音壁２０８により天部側の通気孔２０５を塞いで笛の音を小さくするように作用する。またこれと同時に消音壁２０８によって天部側の通気孔２０５が塞がれることで、笛部２１０に流れる空気の量が少なくなり、水鉄砲の側で水圧が上がると言う作用が得られる。これは反響が籠ったり増幅されるような風呂場で使用するのに、また水鉄砲から勢い良く放水されても何ら問題のない風呂場で使用するのに好適である。
【実施例４】
【００３３】  図５および図６を用いて実施例４の水鉄砲兼用の笛玩具を説明する。弾力性と形状復元性とを有する合成樹脂製の人形４は、頭部に口部４０を尾部に栓４１を備えている。また内部には笛用筒部５と水鉄砲用筒部６とを備えている。笛用筒部５の笛口５１と水鉄砲用筒部６の放水口６０とは共に上記口部４０の中に設けられている。従って笛の音も放水も口部４０から為されるように見える。なお栓４１はこれを取って人形４の内部を洗浄したり乾燥させたりするためのものである。【００３４】  上記笛口５１を有する笛用筒部５は、人形４の内部にあって笛口５１から円筒７４として後方へ向かいその後屈曲して前方に向かい、至端にて上方に開けた吸気口５０まで空気流路を構成している。笛口５１の後方には笛部７２を有する往復動体７が設けられているが、この詳細は後述する。一方、上記放水口６０を有する水鉄砲用筒部６は、人形４の内部にあって放水口６０から下方へ屈曲しており、その先端部は人形４の底部に在って吸水口６１となっている。【００３５】  さて上記円筒７４の内部にはコイルバネ７３と笛部７２とが納められているが、この笛部７２には舌状体７０を設けたホルダーとしての往復動体７が被せられている。円筒７４の前側は笛口７６であり後側は吸気口７５であるが、吸気口７５は吸気口５０に繋がっている。【００３６】  往復動体７が往復動する際には、舌状体７０の先端部が口部４０を出入りしているように見える。この舌状体７０の口部４０からは見ることが出来ない中央部分には細長い開孔部７１が設けられており、ここを上記水鉄砲用筒部６がクロスして通っている。なお水鉄砲用筒部６が舌状体７０を迂回する構成もあり得る。【００３７】  なお、上記往復動体７とは別の、舌状体を有する往復動体である往復舌が舌用筒部の中に納められており、この舌用筒部が、人形４に別途設けた舌用開口部の内側に、この舌用開口部を流通する空気流または水流によって往復動し得るように取り付けられているものは、実施例としては説明しないが、上記往復動体７が参考になる。往復舌が長尺物である場合も同様である。またこの場合舌状体を往復動作せるのにコイルバネを用いる、用いないも自由に設計して良い。上掲の特許第６４０９１８６号の「笛玩具」を参照されたい。なおまた実施例４ではコイルバネ７３を組み込んでいるが、これを省略しても所要の効果が得られることが分かっている。
【実施例５】
【００３８】  次に図７を以てこの発明の実施例５を説明する。この実施例は上述の実施例１の構成に倣うものであるが、柔軟で外力によって容易に曲がるような笛用筒部２の吸気口２１に、空気の入った合成樹脂製の中空体である浮子８が取り付けられており、また柔軟で外力によって容易に曲がるような水鉄砲用筒部３の吸水口３１に、合成樹脂製の玉状の重錘８０が取り付けられている。【００３９】  この構成により、笛用筒部２や水鉄砲用筒部３の姿勢がどのようなものであったとしても、浮子８が玩具内部の水に浮くことにより吸気口２１が水面上に在り、また重錘８０が水に沈むことによって吸水口３１が水面下に在る、と言う機会を大きいものにすることが出来る。従って玩具内部の水の量が適正であるにも関わらず、笛の音が出なかったり水鉄砲の水が出ないようなことが少なくなる。
【産業上の利用可能性】
【００４０】  この発明は、特許第５８６６６６５号の「笛玩具」や特許第６４０９１８６号の「笛玩具」を鋭意改良したものであり、笛として遊び、水鉄砲として遊び、また笛と水鉄砲とを同時に遊ぶことを可能にしている点で、産業上の貢献度は極めて高いと言える。デザインは自由であるから、幅広い層にこの玩具を提供することが可能である。またペット用具などとしての活用もある。
【符号の説明】
【００４１】  １    ボール              １０  笛用開口部          １１  水鉄砲用開口部
２    笛用筒部            ２０  笛口                ２１  吸気口
２２  固定円筒            ２３  支持体              ２４  笛部
２５  リード              ２６  円筒                ２７  通気孔
２８  通気孔              ２９  往復動体            ２００支持体
２０１笛部                ２０２リード              ２０３クッション
２０４通気孔              ２０５通気孔              ２０６往復動体
２０７コイルバネ          ２０８消音壁              ２０９支持体
２１０笛部                ２１１リード
３    水鉄砲用筒部        ３０  放水口              ３１  吸水口
４    人形                ４０  口部                ４１  栓
５    笛用筒部            ５０  吸気口              ５１  笛口
６    水鉄砲用筒部        ６０  放水口              ６１  吸水口
７    往復動体            ７０  舌状体              ７１  開孔部
７２  笛部                ７３  コイルバネ          ７４  円筒
７５  吸気口              ７６  笛口
８    浮子                ８０  重錘
【図１】
0006948496.tif 000002
【図２】
0006948496.tif 000003
【図３】
0006948496.tif 000004
【図４】
0006948496.tif 000005
【図５】
0006948496.tif 000006
【図６】
0006948496.tif 000007
【図７】
0006948496.tif 000008